(57)【要約】【課題】ユーザの意思を反映することが可能な携帯電子機器を提供すること。【解決手段】表示部２１と、文字及び数字が割り当てられる複数の入力キーと、前記文字及び前記数字が割り当てられず、所定の機能が割り当てられる他のキーと、を含むキー操作部１１と、前記表示部２１に初期画面１００が表示された状態において、前記入力キーのいずれかが操作された場合に、当該入力キーに割り当てられる前記文字及び数字を前記表示部２１に表示させる制御部４５と、を備え、前記制御部４５は、前記表示部２１に前記文字及び前記数字が表示されている状態で、前記他のキーが操作されると、前記文字又は前記数字のうち一方の表示を継続させ他方の表示を解除させると共に、前記一方の表示の表示位置を前記他のキーの操作前の表示位置に維持させる。【選択図】図６
2010063179.tif 000002
【特許請求の範囲】
【請求項１】
表示部と、
文字及び数字が割り当てられる複数の入力キーと、前記文字及び前記数字が割り当てられず、所定の機能が割り当てられる他のキーと、を含むキー操作部と、
前記表示部に初期画面が表示された状態において、前記入力キーのいずれかが操作された場合に、当該入力キーに割り当てられる前記文字及び前記数字を前記表示部に表示させる制御部と、を備え、
前記制御部は、前記表示部に前記文字及び前記数字が表示されている状態で、前記他のキーが操作されると、前記文字又は前記数字のうち一方の表示を継続させ他方の表示を解除させると共に、前記一方の表示の表示位置を前記他のキーの操作前の表示位置に維持させる
ことを特徴とする携帯電子機器。
【請求項２】
前記他のキーは、それぞれ異なる機能が割り当てられる少なくとも２つの操作キーを含み、
前記制御部は、前記表示部に前記文字及び前記数字が表示されている状態で、前記２つの操作キーのうちの一方の操作キーが操作されると、前記数字の表示を継続させ前記文字の表示を解除させ、前記２つの操作キーのうちの他方の操作キーが操作されると、前記文字の表示を継続させ前記数字の表示を解除させる
ことを特徴とする請求項１に記載の携帯電子機器。
【請求項３】
前記制御部は、前記表示部に前記文字及び前記数字が表示されている状態で、前記他方の操作キーが操作されると、当該他方の操作キーの操作前に前記数字が表示されていた領域に前記文字の入力に関する補助の処理内容を表示させる
ことを特徴とする請求項２に記載の携帯電子機器。
【請求項４】
通信部を更に備え、
前記制御部は、前記表示部に前記文字及び前記数字が表示されている状態で、前記一方の操作キーが操作されると、前記表示部に表示されている前記数字を用いた前記通信部による発信に関連する処理を行い、前記他方の操作キーが操作されると前記表示部に表示されている前記文字の編集に関連する処理を行う
ことを特徴とする請求項２に記載の携帯電子機器。
【請求項５】
前記制御部は、前記表示部に前記文字及び前記数字を表示させている場合には、前記一方の操作キーに対して前記数字に関連する処理を実行する機能を割り当て、前記他方の操作キーが操作されて前記数字の表示を解除させた場合には、前記一方の操作キーに対して前記文字に関連する処理を実行する機能を割り当てる
ことを特徴とする請求項２に記載の携帯電子機器。
【請求項６】
通信部を更に備え、
前記文字に関連する処理とは前記文字の編集に関連する処理であり、前記数字に関連する処理とは前記数字を用いた前記通信部による発信に関連する処理である
ことを特徴とする請求項５に記載の携帯電子機器。
【請求項７】
前記表示部に前記文字及び前記数字が表示されている状態において、前記文字は前記表示部の上側に表示され、前記数字は前記表示部の下側に表示される
ことを特徴とする請求項１乃至５のいずれか１項に記載の携帯電子機器。
【発明の詳細な説明】
【技術分野】
【０００１】
本発明は、操作部を有する携帯電子機器に関し、特に、複数種類の記号が同一のキーに割り当てられている携帯電子機器に関する。
【背景技術】
【０００２】
携帯電子機器は、各種の情報を表示する表示部と、複数のキーにより構成されている操作部を備えている。
【０００３】
ここで、携帯電話装置等の携帯電子機器では、着信を待ち受けるときやその他のアプリケーションの起動を待ち受けるときには、表示部に初期画面が表示される。この初期状態において、数字が割り当てられている操作キーが押下されると、当該押下された操作キーに対応する数字を表示部に表示する。そして、携帯電話装置は、表示部に数字が表示されている状態において、例えば、発信キーが押下された場合には、入力されている数字に基づいた電話発信処理を行い、また、計算機（電卓）を起動するキーが押下された場合には、入力されている数字を初期の数値として計算機アプリケーションを起動する。
【０００４】
また、携帯電子機器では、初期画面からキー操作をしたときに、当該キー操作に応じた文字が表示部に表示され、所定の操作（アプリケーションの一覧を表示するキーを押下する操作）が実行されたときに、表示されている文字列に対応するアプリケーションの一覧が表示され、当該一覧の中から一のアプリケーションを選択することによりアプリケーションの起動を実行する技術が提案されている（例えば、特許文献１を参照）。
【先行技術文献】
【特許文献】
【０００５】
【特許文献１】特開２００７−２００２４３号公報
【発明の概要】
【発明が解決しようとする課題】
【０００６】
ところで、初期画面の状態において、数字と文字とが割り当てられているキーが押下された場合に、キー操作の初期段階においては、ユーザがどちらの記号を意識しながら操作しているか分からない。特許文献１の技術のように文字の入力を優先させた場合には、数字の入力が無視されることになり、一方、数字の入力を優先させると、文字の入力が無視されることになり、ユーザの意思が反映されない可能性がある。
【０００７】
本発明は、上記想定に鑑みて、初期画面が表示されている状態からのキー操作において、ユーザの意思を反映することが可能な携帯電子機器を提供することを目的とする。
【課題を解決するための手段】
【０００８】
本発明に係る携帯電子機器は、上記課題を解決するために、表示部と、文字及び数字が割り当てられる複数の入力キーと、前記文字及び前記数字が割り当てられず、所定の機能が割り当てられる他のキーと、を含むキー操作部と、前記表示部に初期画面が表示された状態において、前記入力キーのいずれかが操作された場合に、当該入力キーに割り当てられる前記文字及び前記数字を前記表示部に表示させる制御部と、を備え、前記制御部は、前記表示部に前記文字及び前記数字が表示されている状態で、前記他のキーが操作されると、前記文字又は前記数字のうち一方の表示を継続させ他方の表示を解除させると共に、前記一方の表示の表示位置を前記他のキーの操作前の表示位置に維持させることを特徴とする。
【０００９】
また、上記携帯電子機器では、前記他のキーは、それぞれ異なる機能が割り当てられる少なくとも２つの操作キーを含み、前記制御部は、前記表示部に前記文字及び前記数字が表示されている状態で、前記２つの操作キーのうちの一方の操作キーが操作されると、前記数字の表示を継続させ前記文字の表示を解除させ、前記２つの操作キーのうちの他方の操作キーが操作されると、前記文字の表示を継続させ前記数字の表示を解除させることが好ましい。
【００１０】
また、上記携帯電子機器では、前記制御部は、前記表示部に前記文字及び前記数字が表示されている状態で、前記他方の操作キーが操作されると、当該他方の操作キーの操作前に前記数字が表示されていた領域に前記文字の入力に関する補助の処理内容を表示させることが好ましい。
【００１１】
また、上記携帯電子機器では、通信部を更に備え、前記制御部は、前記表示部に前記文字及び前記数字が表示されている状態で、前記一方の操作キーが操作されると、前記表示部に表示されている前記数字を用いた前記通信部による発信に関連する処理を行い、前記他方の操作キーが操作されると前記表示部に表示されている前記文字の編集に関連する処理を行うことが好ましい。
【００１２】
また、上記携帯電子機器では、前記制御部は、前記表示部に前記文字及び前記数字が表示させている場合には、前記一方の操作キーに対して前記数字に関連する処理を実行する機能を割り当て、前記他方の操作キーが操作されて前記数字の表示を解除させた場合には、前記一方の操作キーに対して前記文字に関連する処理を実行する機能を割り当てることが好ましい。
【００１３】
また、上記携帯電子機器では、通信部を更に備え、前記文字に関連する処理とは前記文字の編集に関連する処理であり、前記数字に関連する処理とは前記数字を用いた前記通信部による発信に関連する処理であることが好ましい。
【００１４】
また、上記携帯電子機器では、前記表示部に前記文字及び前記数字が表示されている状態において、前記文字は前記表示部の上側に表示され、前記数字は前記表示部の下側に表示されることが好ましい。
【発明の効果】
【００１５】
本発明によれば、初期画面が表示されている状態からのキー操作において、ユーザの意思を反映することが可能である。
【図面の簡単な説明】
【００１６】
【図１】携帯電話装置１の外観斜視図である。
【図２】携帯電話装置１を折畳んだ状態の斜視図である。
【図３】携帯電話装置１の機能を示す機能ブロック図である。
【図４】キーアサインについての説明に供する図である。
【図５】初期画面から第１種記号表示領域と第２種記号表示領域による分割画面に表示状態が変化し、その後、第１種記号表示領域に表示状態が変化する様子についての説明に供する図である。
【図６】初期画面から第１種記号表示領域と第２種記号表示領域による分割画面に表示状態が変化し、その後、第２種記号表示領域に表示状態が変化し、確認表示画面が表示される様子についての説明に供する図である。
【図７】制御部による動作処理の方法についての説明に供するフローチャートである。
【発明を実施するための形態】
【００１７】
以下、本発明の実施の形態について説明する。図１は、本発明に係る携帯電子機器の一例である携帯電話装置１の外観斜視図を示す。なお、図１は、いわゆる折り畳み型の携帯電話装置の形態を示しているが、本発明に係る携帯電話装置の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ）でも良い。
【００１８】
携帯電話装置１は、操作部側筐体部２と、表示部側筐体部３と、を備えて構成される。操作部側筐体部２は、表面部１０に、操作部１１と、携帯電話装置１の使用者が通話時に発した音声が入力されるマイク１２と、を備えて構成される。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５と、から構成されている。
【００１９】
また、表示部側筐体部３は、表面部２０に、各種情報を表示するためのＬＣＤ（Ｌｉｑｕｉｄ  Ｃｒｙｓｔａｌ  Ｄｉｓｐｌａｙ）表示部２１と、通話の相手側の音声を出力するスピーカ２２と、を備えて構成されている。
【００２０】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２１】
また、図２は、携帯電話装置１を折畳んだ状態の斜視図を示している。操作部側筐体部２は、外平面部に、時計やメールの着信等が表示されるサブＬＣＤ表示部３０が備えられている。
【００２２】
また、図３は、携帯電話装置１の機能を示す機能ブロック図である。携帯電話装置１は、図３に示すように、操作部１１（キー操作部）と、マイク１２と、メインアンテナ４０と、ＲＦ回路部４１と、ＬＣＤ制御部４２と、音声処理部４３と、メモリ４４と、制御部４５と、が操作部側筐体部２に備えられ、ＬＣＤ表示部２１（表示部）と、スピーカ２２と、ドライバＩＣ２３と、サブＬＣＤ表示部３０とが表示部側筐体部３に備えられている。
【００２３】
メインアンテナ４０は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド対応構成である。なお、本実施の形態では、第１の使用周波数帯として、８００ＭＨｚとしたが、これ以外の周波数帯であっても良い。また、メインアンテナ４０は、第１の使用周波数帯で外部装置と通信を行い、ＧＰＳ通信のための第２の使用周波数帯に対応できるアンテナを別途設けても良い。
【００２４】
ＲＦ回路部４１は、メインアンテナ４０によって受信した信号を復調処理し、処理後の信号を制御部４５に供給する。そして、制御部４５から供給された信号を変調処理し、メインアンテナ４０を介して外部装置（基地局）に送信する。また、その一方で、メインアンテナ４０によって受信している信号の強度を制御部４５に通知を行う。
【００２５】
ＬＣＤ制御部４２は、制御部４５の制御にしたがって、所定の画像処理を行い、処理後の画像データをドライバＩＣ２３に出力する。ドライバＩＣ２３は、ＬＣＤ制御部４２から供給された画像データをフレームメモリに蓄え、所定のタイミングでＬＣＤ表示部２１又はサブＬＣＤ表示部３０に出力する。
【００２６】
音声処理部４３は、制御部４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２７】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２８】
メモリ４４は、例えば、ワーキングメモリを含み、制御部４５による演算処理に利用される。また、メモリ４４には、複数のアプリケーションや当該アプリケーションが必要とする各種のテーブル等が記憶されている。また、メモリ４４は、着脱可能な外部メモリを兼ねていても良い。
【００２９】
制御部４５は、携帯電話装置１の全体を制御しており、中央処理装置(ＣＰＵ)等を用いて構成される。ここで、操作部１１によるキー操作に応じた制御部４５の制御動作について説明する。制御部４５は、原則的に現在アクティブに起動されているアプリケーションに応じて、操作部１１を構成する各キー（機能設定操作キー１３、入力操作キー１４、決定操作キー１５）に割り当てる記号や機能を変化させる。
【００３０】
具体的には、操作部１１は、いずれかのキーが押下されたときに、当該キーの位置情報（例えば、図４（ａ）に示すように、入力操作キー１４の第２行左列のキー（「１」と「あ」が表面に印刷されているキー）が押下された場合には、（Ｘ２、Ｙ１）なる位置情報）を制御部４５に送信する。制御部４５は、メモリ４４にアクセスして、現在アクティブになっているアプリケーションに対応するキーアサインテーブルを参照し、操作部１１から送信されてきた位置情報から割り当てられている記号や機能の処理を実行する。例えば、メモリ４４には、図４（ｂ）〜図４（ｄ）に示すように、複数のキーアサインテーブルが格納されている。なお、図４（ｂ）は、電話発信を行う際に利用されるテーブルであり、図４（ｃ）は、メモ帳アプリケーションやメールアプリケーションにおいて利用されるテーブルであり、図４（ｄ）は、テレビアプリケーションにおいてチャンネルを変更する際に利用されるテーブルである。
【００３１】
なお、記号の処理の実行とは、例えば、現在アクティブになっているアプリケーションがメモ帳の場合には、「１」や「あ」をＬＣＤ表示部２１に表示することを意味している。また、機能の処理の実行とは、例えば、現在アクティブになっているアプリケーションがテレビの場合には、表示チャンネルを１ｃｈに設定することを意味している。
【００３２】
このようにして、メモリ４４には、複数のキーアサインテーブルが格納されており、制御部４５は、アプリケーションに応じて、参照するキーアサインテーブルを切り替え、操作部１１から送信されてくるキーの位置情報に基づいて所定のキーアサインテーブルを参照して、所定の処理を実行する。
【００３３】
このように構成される携帯電話装置１では、通信の待ち受け状態において、キー操作が行われた場合に、当該キーに割り当てられている複数の記号（例えば、数字や文字）それぞれを、例えば、別々の画面領域に並列的に表示し、所定のキー操作が行われた場合に一方の記号が表示されている画面を有効にする機能を有している。また、携帯電話装置１では、電話発信を行うに際して、発信処理を優先させるか、又は誤発信の低減を優先させるかを判断する機能を有している。
【００３４】
ここで、上述した機能を発揮するための制御部４５の動作について説明する。なお、操作部１１は、第１キー（例えば、図１中Ｃに示す、入力操作キー１４の第２行目から第５行目に位置するキー）と、第２キー（例えば、決定操作キー１５）と、第３キー（例えば、入力操作キー１４の左列最上位行に位置する発信キー（図１中Ｂ））とを含んで構成されている。
【００３５】
第１キーは、第１種記号（例えば、「あ」、「い」、「う」等のひらがな）と第２種記号（例えば、「１」、「２」、「３」等の数字）とが割り当てられている複数のキーより構成されている。第２キーは、第１種記号及び第２種記号が割り当てられておらず、単一又は複数の機能（例えば、かなを漢字に変換する機能等）が割り当てられているキーである。第３キーは、第１種記号及び第２種記号が割り当てられておらず、第２キーとは異なる機能（例えば、電話発信を行う機能等）が割り当てられているキーである。
【００３６】
制御部４５は、着信を待ち受ける初期画面１００をＬＣＤ表示部２１に表示させている状態において（図５（ａ）、図６（ａ））、第１キーのいずれかのキーが押下されたときには、押下された当該キーに割り当てられている第１種記号と、押下された当該キーに割り当てられている第２種記号とをＬＣＤ表示部２１に表示するように制御する（図５（ｂ）、（ｃ）、図６（ｂ）、（ｃ））。具体的には、制御部４５は、第１種記号を第１種記号表示領域１０１に表示し、第２種記号を第２種記号表示領域１０２に表示するように制御する。また、第１種記号とは、例えば、「あ」、「い」、「う」等のひらがなに相当する記号である。第２種記号とは、例えば、「１」、「２」、「３」等の数字に相当する記号である。
【００３７】
また、制御部４５は、ＬＣＤ表示部２１に第１種記号及び第２種記号を表示するように制御しているときに、第２キーが押下された場合には、（第１種記号表示領域１０１に入力されている）第１種記号に対する第１の処理（例えば、かなを漢字に変換する処理）を実行する（図５（ｄ））。
【００３８】
なお、制御部４５は、上述の通り、第２キーが押下された場合には、（第１種記号表示領域１０１に入力されている）第１種記号の表示を継続させ（第２種記号表示領域１０２に入力されている）第２種記号の表示を解除すると共に、第１種記号の表示位置を第２キーの押下前の表示位置に維持させても良い（図５（ｃ）、（ｄ））。また、第２キーが押下された場合に、第２種記号が表示されていた第２種記号表示領域１０２に第１種記号の編集に関する補助の処理内容を表示させても良い（図５（ｄ））。
【００３９】
また、制御部４５は、ＬＣＤ表示部２１に第１種記号及び第２種記号を表示するように制御しているときに、第３キーが押下された場合には、（第２種記号表示領域１０２に入力されている）第２種記号に対する第２の処理（例えば、電話発信に係る処理）を実行する。
【００４０】
なお、制御部４５は、上述の通り、第３キーが押下された場合には、（第２種記号表示領域１０２に入力されている）第２種記号の表示を継続させ（第１種記号表示領域１０１に入力されている）第１種記号の表示を解除すると共に、第２種記号の表示位置を第３キーの押下前の表示位置に維持させても良い（図６（ｃ）、（ｄ））。
【００４１】
また、制御部４５は、第２の処理において、（第２種記号表示領域１０２に入力されている）第２種記号に係る記号列（電話番号）が所定の記号列（電話番号）の場合には、当該記号列を電話番号として発信処理を実行し、当該記号列が所定の記号列ではない場合には、当該記号列を電話番号として発信処理を実行するか否かを確認後（例えば、図６（ｄ）に示すような確認表示画面１０４を表示させて確認する）、発信処理を実行する。なお、図６（ｄ）に示す確認表示画面１０４において、「はい」を選択した場合には、表示されている「０４５９４３○○○○」に基づいて電話発信が実行され、「いいえ」を選択した場合には、初期画面１００に戻っても良いし、一つ前の画面（第２種記号表示領域１０２が拡大表示されている画面）に戻っても良い。
【００４２】
また、所定の記号列は、予め登録された記号列（電話番号）や、緊急通報用（緊急呼）の記号列（電話番号）であることが好ましい。また、メモリ４４に格納されているアドレス帳において登録されている任意の連絡相手を所定の記号列として登録されていても良い。制御部４５は、適宜メモリ４４を参照して、第２種記号表示領域１０２に入力されている記号列が所定の記号列か否かを判断する。
【００４３】
このように構成されることにより、携帯電話装置１は、例えば、所定の数字列（電話番号）が予め登録された家族や親しい友人等の電話番号であったり、緊急通報用（警察、消防、救急等）の電話番号であれば、確認処理を実行せずに直ぐに発信を行い、このような所定の数字列以外の電話番号に対しては電話発信の前に確認処理が実行される。
【００４４】
したがって、携帯電話装置１では、発信する電話番号に基づいて、発信処理を優先させるか、又は誤発信の低減を優先させるかを判断し、発信処理を優先させる場合には、確認処理を実行せずに直ぐに電話発信を行うので、緊急時等に迅速に発信することができ、一方、誤発信の低減を優先させる場合には、確認処理を実行した後に電話発信を行うので、誤発信の低減を図ることができる。
【００４５】
ここで、図５に示す例においては、初期画面１００（図５（ａ））において、キー操作（「０」と「わをん」が表面に印刷されているキー）を行った場合には、第１種記号が表示される第１種記号表示領域１０１に「わ」が表示され、同時に、第２種記号が表示される第２種記号表示領域１０２に「０」が表示される（図５（ｂ））。そして、連続して、複数のキー操作が行われ、第１種記号表示領域１０１には「わたなべ」が表示され、第２種記号表示領域１０２には「０４５６６６６＊」が表示される（図５（ｃ））。
【００４６】
また、表示画面が図５（ｂ）や図５（ｃ）等の状態において、決定操作キー１５が上下操作された場合には、制御部４５は、かなを漢字に変換する処理を実行し、第１種記号表示領域１０１が表示画面中で拡大して表示される（図５（ｄ））。また、制御部４５は、図５（ｄ）の状態において、入力操作キー１４の左列最上位のキー（発信キー）が押下された場合には、表示されている文字を拡大する等の処理を行う（図５（ｅ））。
【００４７】
また、表示画面が図５（ｂ）や図５（ｃ）等の状態において、入力操作キー１４の左列最上位のキー（発信キー）が押下された場合には、制御部４５は、第２種記号表示領域１０２に表示されている数字列に基づいて電話発信の処理を行う。
【００４８】
このようにして、制御部４５は、通信の待ち受け状態からキー操作が行われ、任意の記号が入力された後、決定操作キー１５が押下されるか否かによって、発信キーに対して、異なる機能を割り当てる制御を行うので、キーの構成数が少ない携帯電話装置１において、各キーの利用効率を向上させることができる。
【００４９】
ここで、第２種記号表示領域１０２に入力されている電話番号に基づいて、第３キーの押下による電話発信の操作がされたときの制御部４５の動作について、図７に示すフローチャートを参照しながら詳細に説明する。なお、以下では、第２種記号表示領域１０２にはすでに任意の電話番号が入力され、第３キーが押下されているものとする。
【００５０】
ステップＳ１において、制御部４５は、第２種記号表示領域１０２に入力されている電話番号が所定の電話番号（緊急呼）であるか否かを判断する。第２種記号表示領域１０２に入力されている電話番号が緊急呼である場合には（Ｙｅｓ）、ステップＳ４に進み、第２種記号表示領域１０２に入力されている電話番号が緊急呼でない場合には（Ｎｏ）、ステップＳ２に進む。なお、本実施例では、所定の電話番号を緊急呼としたが、これに限られず、ユーザが任意に登録した電話番号を所定の電話番号としても良い。また、制御部４５は、例えば、メモリ４４に格納されているアドレス帳を参照して、第２種記号表示領域１０２に入力されている電話番号が緊急呼であるか否かを判断する。
【００５１】
ステップＳ２において、制御部４５は、第２種記号表示領域１０２に入力されている電話番号に基づいて、発信を行うか否かについての確認画面（確認表示画面１０４）をＬＣＤ表示部２１に表示するように制御する（図６（ｄ）を参照）。
【００５２】
ステップＳ３において、制御部４５は、確認表示画面１０４に基づいて、発信の操作が行われたか否かを判断する。具体的には、制御部４５は、図６（ｄ）に示す確認表示画面１０４において、「１．はい」が選択操作された場合には、発信の操作が行われたものと判断し、「２．いいえ」が選択操作された場合には、発信の操作が行われなかったものと判断する。発信の操作が行われたものと判断した場合には（Ｙｅｓ）、ステップＳ４に進み、発信の操作が行われなかったものと判断した場合には（Ｎｏ）、ステップＳ５に進む。
【００５３】
ステップＳ４において、制御部４５は、発信動作を行う。本工程における発信動作により、基地局を介して、他の携帯電話装置との通話が可能になる。
【００５４】
ステップＳ５において、制御部４５は、発信動作を行わず、前の状態（例えば、図５（ｃ）に示すような、第１種記号表示領域１０１及び第２種記号表示領域１０２が表示されている状態）に戻る。
【００５５】
このように構成されることにより、携帯電話装置１は、一般の電話番号を入力し、発呼をする場合、第３キー（発信キー）が押下された場合、図６（ｄ）に示すような確認表示画面１０４を表示し、「１．はい」を選択するか「ＯＫ」を押下しない場合には発呼ができないようにするので、表示画面を見ないで操作することによる誤作動の発生を低減することができる。また、携帯電話装置１は、図６（ｄ）に示すような確認表示画面１０４を介在させることにより、前画面に遷移することが可能となるため、誤動作による発信操作によりデータを失う可能性を低減することができる。また、携帯電話装置１は、緊急呼（１１０や、１１９や、１１８等）については、緊急性の高さを考慮し、図６（ｄ）に示すような確認表示画面１０４を表示せずに発信するので、緊急事態の対応を素早く図ることができる。
【００５６】
なお、図４に示したキーアサインの方法は、一例であって本方法に限定されることはない。
【符号の説明】
【００５７】
１  携帯電話装置
１１  操作部（キー操作部）
２１  ＬＣＤ表示部（表示部）
４４  メモリ
４５  制御部
１００  初期画面
１０１  第１種記号表示領域
１０２  第２種記号表示領域
１０４  確認表示画面
【図１】
2010063179.tif 000003
【図２】
2010063179.tif 000004
【図３】
2010063179.tif 000005
【図４】
2010063179.tif 000006
【図５】
2010063179.tif 000007
【図６】
2010063179.tif 000008
【図７】
2010063179.tif 000009